(57)【要約】【課題】ボールの墜落点の精度を向上すると共に、ユーザーがボールの打撃時の振動による怪我を回避できるゴルフクラブのヘッドを提供すること。【解決手段】シェルと、打撃パネルとから構成され、前記シェルは、その打撃端面に開口が開設してあり、前記開口の内部には収容空間が形成してあり、前記開口の周縁に前記打撃パネルが嵌め込まれて結合するゴルフクラブのヘッドにおいて、前記シェルの上面には、前記収容空間と連通する溝が開設してあり、前記開口の周縁に前記打撃パネルを嵌め込んだ後、弾性を持つ緩衝材を前記溝から前記収容空間に注入する。【選択図】図２
0003127813.tif 000002
【実用新案登録請求の範囲】
【請求項１】
主に、シェルと、打撃パネルとから構成され、前記シェルは、その打撃端面に開口が開設してあり、前記開口の内部には収容空間が形成してあり、前記開口の周縁に前記打撃パネルが嵌め込まれて結合するゴルフクラブのヘッドにおいて、
前記シェルの上面には、前記収容空間と連通する溝が開設してあり、前記開口の周縁に前記打撃パネルを嵌め込んだ後、弾性を持つ緩衝材を前記溝から前記収容空間に注入することを特徴とする、
ゴルフクラブのヘッド。
【請求項２】
前記溝の両側の壁面には、ヘッドのボールに対する受け強度を向上する連接ブロックが多数に設けてあることを特徴とする、請求項１に記載のゴルフクラブのヘッド。
【請求項３】
前記収容空間内には、前記開口の周縁に嵌め込まれた前記打撃パネルを支える補強ピンが多数に凸設してあることを特徴とする、請求項１に記載のゴルフクラブのヘッド。
【請求項４】
弾性を持つ前記緩衝材は樹脂であることを特徴とする、請求項１に記載のゴルフクラブのヘッド。
【考案の詳細な説明】
【技術分野】
【０００１】
本考案は、ゴルフクラブのヘッドの構造に係り、特に、ボールを打撃するときに緩衝効果および振動吸収効果が発生することにより、ボールの飛びが安定化になり、ボールの墜落点の精度が向上になり、且つユーザーはボール打撃による振動力によって怪我されることを回避できるゴルフクラブのヘッドに関するものである。
【背景技術】
【０００２】
図１に示すのは従来のゴルフクラブのヘッドであり、これは、主に一つのシェル９１と一つの打撃パネル９２とから構成されるものであり、前記シェル９１は、ステンレスなどの金属材料を鋳造で一体成形されたものであり、その打撃端面には開口９１１が一つ開設してあり、前記開口９１１の内部には収容空間９１２が形成してあり、前記開口９１１のテーパを呈する周縁には、前記開口９１１へ凸縁９１３が延設してあり、前記打撃パネル９２は前記開口９１１の周縁に嵌め込まれて前記凸縁９１３に当接する。
【考案の開示】
【考案が解決しようとする課題】
【０００３】
しかしながら、これは次のような欠点があった。
（イ）従来のものは、緩衝効果または振動吸収効果が全くないため、打撃されたボールは安定して飛ぶことができず、ボールの墜落点のコントロールが困難である。
【０００４】
（ロ）従来のものは、緩衝効果または振動吸収効果が全くないため、ボールを打撃することによる振動の力により、ユーザーが怪我をし易い。
【課題を解決するための手段】
【０００５】
上記欠点を解決するためになされた本願の第１考案は、主に、シェルと、打撃パネルとから構成され、前記シェルは、その打撃端面に開口が開設してあり、前記開口の内部には収容空間が形成してあり、前記開口の周縁に前記打撃パネルが嵌め込まれて結合するゴルフクラブのヘッドにおいて、前記シェルの上面には、前記収容空間と連通する溝が開設してあり、前記開口の周縁に前記打撃パネルを嵌め込んだ後、弾性を持つ緩衝材を前記溝から前記収容空間に注入することを特徴とするゴルフクラブのヘッドであることを要旨としている。
【０００６】
本願の第２考案では、前記溝の両側の壁面には、ヘッドのボールに対する受け強度を向上する連接ブロックが多数に設けてあることを特徴とする前記第１考案に記載のゴルフクラブのヘッドであることを要旨としている。
【０００７】
本願の第３考案では、前記収容空間内には、前記開口の周縁に嵌め込まれた前記打撃パネルを支える補強ピンが多数に凸設してあることを特徴とする請求項１に記載のゴルフクラブのヘッドであることを要旨としている。
【０００８】
本願の考案では、弾性を持つ前記緩衝材は樹脂であることを特徴とする前記第１考案に記載のゴルフクラブのヘッドであることを要旨としている。
【考案の効果】
【０００９】
本考案のゴルフクラブのヘッドによれば、次のような効果が得られる。
（イ）打撃パネルがシェルの収容空間内に注入された緩衝材に貼り付けられたので、緩衝材により緩衝効果が発生し、そのため、ボールの飛びが安定化して、ボールの墜落点の精度が向上する。
【００１０】
（ロ）打撃パネルがシェルの収容空間内に注入された緩衝材に貼り付けられたので、緩衝材により振動を吸収する効果を発生し、そのため、ユーザーはボールの打撃による振動によって怪我をすることを回避できる。
【考案を実施するための最良の形態】
【００１１】
以下、添付図面を参照して本考案の好適な実施の形態を詳細に説明する。
【００１２】
まず、図２乃至図４を参照する。本考案のゴルフクラブのヘッドは、主に、シェル１と、打撃パネル２とから構成される。
前記シェル１は、ステンレスなどの金属材料を鋳造で一体成形されたものであり、その打撃端面に開口１１が開設してあり、前記開口１１の内部には収容空間１２が形成してある。
前記開口１１のテーパを呈する周縁には、前記開口１１へ凸縁１３が延設してあり、前記打撃パネル２は前記開口１１の周縁に嵌め込まれて前記凸縁１３に当接する。
【００１３】
そして、前記シェル１の上面には、前記収容空間１２と連通する溝１４が開設してある。
前記溝１４の両側の壁面には、ヘッドのボールに対する受け強度を向上する連接ブロック１６が多数に設けてある。
また、前記収容空間１２内には、前記開口１１の周縁に嵌め込まれた前記打撃パネル２を支える補強ピン１６が多数に凸設してあり、前記補強ピン１６により前記打撃パネル２のボール打撃に対する受け強度が向上する。
また、前記開口１１の周縁に前記打撃パネル２を嵌め込んだ後、弾性を持つ緩衝材（例えば樹脂など）を前記溝１４から前記収容空間１２に注入する。そうすると、ゴルフクラブによってボールを打撃するときに、弾性を持つ緩衝材３により緩衝効果が発生し、これにより、ボールの飛びが安定化してボールの墜落点の精度が向上すると共に、ユーザーはボール打撃による振動力によって怪我をすることを回避できる。
【００１４】
次に、本考案の製造方法を詳細に説明する。
まず、図２乃至図４を参照する。
前記開口１１の周縁に前記打撃パネル２を位置合せて嵌め込む。
そうすると、前記打撃パネル２が前記開口１１の凸縁１３に当接するようになり、且つ収容空間１２内に設けられる多数の補強ピン１６により前記打撃パネル２が支えられる。
次に、弾性を持つ緩衝材３を前記シェル１の溝１４から前記収容空間１２に注入して、前記緩衝材３が凝固になった後、前記シェル１全体の表面を艶出すと、このヘッドをゴルフクラブに組付けることができる。
【００１５】
次に、本考案の使用状態を詳細に説明する。
まず、図２乃至図４を参照する。
打撃パネル２の内面がシェル１の収容空間１２内に充填された緩衝材３に貼り付けられたので、ゴルフクラブを振り回って打撃パネル２でボールを打撃するときに、緩衝効果が発生し、これにより、ボールの飛びが安定化し、ボールの墜落点の精度が向上すると共に、ユーザーはボール打撃による振動力によって怪我をするのを回避できる。
【図面の簡単な説明】
【００１６】
【図１】従来のものの分解斜視図である。
【図２】本考案の分解斜視図である。
【図３】本考案の上面断面図である。
【図４】本考案の側面断面図である。
【符号の説明】
【００１７】
１        シェル                  １１      開口
１２      収容空間                １３      凸縁
１４      溝                      １６      連接ブロック
１６      補強ピン                ２        打撃パネル
３        緩衝材                  ９１      シェル
９１１    開口                    ９１２    収容空間
９１３    凸縁                    ９２      打撃パネル
【図１】
0003127813.tif 000003
【図２】
0003127813.tif 000004
【図３】
0003127813.tif 000005
【図４】
0003127813.tif 000006